(57)【要約】      （修正有）【課題】コネクタにおけるＩＣカードのずれや、はみ出しを起こりにくくし、コネクタの低背化を実現する。スライドカバーを無理にスライドさせてもスライドカバーがコネクタ本体から外れにくくする。【解決手段】載置領域１１３が設定されたコネクタ本体１１０と、コンタクト１２０と、反実装側の端部の、コネクタ本体の実装側の面からの厚さ方向の寸法が、コネクタ本体の実装側の面からコンタクトの接点１２２までの厚さ方向の寸法にＩＣカードの厚さを加えた載置厚さにほぼ等しい第１ストッパ１３０等と、第１位置とそれより奥行き方向の手前側の第２位置との間でスライドし、コネクタ本体の実装側の面からの厚さ方向の寸法が、第１位置では載置厚さにほぼ等しく、第１位置と第２位置との間の少なくとも一部で第２位置に向かってスライドするにつれて短くなるスライドカバー１６０とを備えたＩＣカード用ソケットコネクタ１００である。【選択図】図１
2010140144.tif 000002
【特許請求の範囲】
【請求項１】
ほぼ板状に形成され、その厚さ方向の一方側を実装側、他方を反実装側とすると、反実装側の面に、導電部を有するＩＣカードの当該導電部を有する側の面に対応した載置領域が設定されたコネクタ本体と、
上記ＩＣカードが上記コネクタ本体の上記載置領域に置かれたときに上記ＩＣカードの上記導電部にほぼ対応する部位に位置する接点を有すると共に、弾性変形により上記接点が上記厚さ方向に変位できるように上記コネクタ本体に設けられたコンタクトと、
上記厚さ方向と直交すると共に上記コネクタ本体の上記反実装側の面に沿って互いに直交する二方向を奥行き方向及び幅方向としたときに、上記コネクタ本体における上記載置領域の奥行き方向奥側から反実装側へ立ち上がり、反実装側の端部の、上記コネクタ本体の実装側の面からの上記厚さ方向の寸法が、上記コネクタ本体の実装側の面から上記コンタクトの接点までの上記厚さ方向の寸法に上記ＩＣカードの厚さを加えた載置厚さにほぼ等しい第１ストッパと、
上記コネクタ本体における上記載置領域の奥行き方向手前側から反実装側へ立ち上がり、反実装側の端部の、上記コネクタ本体の実装側の面からの上記厚さ方向の寸法が、上記載置厚さにほぼ等しい第２ストッパと、
上記コネクタ本体における上記載置領域の幅方向両側から反実装側へそれぞれ立ち上がり、反実装側の端部の、上記コネクタ本体の実装側の面からの上記厚さ方向の寸法が、上記載置厚さにほぼ等しい二つの第３ストッパと、
上記載置領域よりも奥行き方向の寸法が短く設けられて上記コネクタ本体の反実装側に配置され、上記載置領域の奥行き方向奥側の端部付近の第１位置と、上記載置領域における上記第１位置よりも奥行き方向の手前側にある第２位置との間でスライド自在に設けられると共に、上記載置領域に対向していて上記ＩＣカードに接触することになる接触部を有し、この接触部の、上記コネクタ本体の実装側の面からの上記厚さ方向の寸法が、上記第１位置では上記載置厚さにほぼ等しく、上記第１位置と第２位置との間の少なくとも一部では第２位置に向かってスライドするにつれて短くなるように構成されたスライドカバーとを備えたＩＣカード用ソケットコネクタ。
【請求項２】
上記コネクタ本体における上記載置領域の奥行き方向奥側に、上記第１位置にある上記スライドカバーと奥行き方向に対向する補強タブが設けられている請求項１のＩＣカード用ソケットコネクタ。
【請求項３】
上記二つの第３ストッパの幅方向外側には、厚さ方向の寸法がほぼ一定で且つ奥行き方向に延びるレールがそれぞれ設けられており、
上記スライドカバーの幅方向の中間部が上記レールの反実装側に配置され、上記スライドカバーの幅方向の両端部が奥行き方向にみて開放部同士が幅方向に対向するようにほぼ横倒しされたＵ字型にそれぞれ形成されて上記二つのレールに幅方向の外側からそれぞれスライド自在に嵌っており、
上記レールは、上記第１位置にある上記スライドカバーに対応する部位と上記第２位置にある上記スライドカバーに対応する部位との間に、奥行き方向手前に向かって実装側へ傾斜する傾斜部を備えている請求項１又は請求項２のＩＣカード用ソケットコネクタ。
【請求項４】
上記コネクタ本体及び上記スライドカバーにおける対向する面のうち一方の面に凹部が設けられ、他方の面に上記凹部に対応する形状の凸部が設けられ、
上記スライドカバーが上記第１位置又は第２位置に位置づけられたときに上記凸部が上記凹部に嵌って上記スライドカバーを仮止めするように構成した請求項１ないし請求項３のうちいずれか１項のＩＣカード用ソケットコネクタ。
【発明の詳細な説明】
【技術分野】
【０００１】
本発明は電気コネクタの技術分野に属し、ＩＣカードにアクセスするための電気コネクタの改良に関する。
【背景技術】
【０００２】
特許文献１は次のカードコネクタを開示している。そのカードコネクタは、コンタクトが設けられたベースプレートと、ベースプレートに取り付けられたカードホルダとを備え、挿抜口からカード保持空間内にカードを挿入し、カードホルダを用いてカードを保持するように構成されたカードコネクタであって、カードホルダが、カードを保持するカード保持位置と、カード保持空間内でカードを挿抜可能なカード挿抜位置とにベースプレートに対してスライド移動可能に構成されており、カードホルダをカード挿抜位置へスライド移動させると、カードホルダの一端がベースプレートから離れる方向へ揺動し、挿抜口の断面積が増加するように構成されている。
【０００３】
特許文献２は、次の電気コネクタを開示している。その電気コネクタは、平板状電子モジュールを回動して受容可能とし、側壁を有してモジュール装着面上に電気コンタクトを受容できるよう構成される絶縁ハウジングを備え、上記ハウジングが第１端で制止壁から延びるタブによって画定されるモジュール受容スロットを有する電気コネクタにおいて、摺動バーが上記ハウジングに摺動可能にして装着され、開口上に延び、上記摺動バーは上記装着面から離れて該装着面に略平行に置かれる。
【０００４】
【特許文献１】特許第４１２１４１７号公報
【特許文献１】特表２００１−５０５６８１号公報
【発明の開示】
【発明が解決しようとする課題】
【０００５】
特許文献１のカードコネクタの場合、カードの移動を規制する規制部材がないため、カードホルダをカード挿抜位置からカード保持位置へスライドさせると、カードがカードホルダに引き摺られて所定の挿入位置に収まらず、そこからずれるおそれがある。また、上記カードが挿入位置に位置したときは上記カードが上記ベースプレートに対して傾斜しているため（特許文献１の段落００３４及び図５（ｅ）を参照）、上記カードホルダがカード保持位置に向けて移動すると、上記カードが上記カードホルダに引き摺られてカード保持空間からはみ出すおそれがある。さらに、カードホルダを無理にスライドさせると、カードホルダがベースプレートから外れるおそれがある。
【０００６】
特許文献２の電気コネクタの場合、平板状電子モジュールの移動を規制する制止壁はあるが、摺動バーが開位置に置かれているときは上記平板状電子モジュールカードが装着面に対して傾斜する方向で挿入されているため、摺動バーががロック位置に向けて移動すると、平板状電子モジュールが摺動バーに引き摺られてモジュール受容キャビティからはみ出すおそれがある。また、摺動バーを無理に移動させると、摺動バーがハウジングから外れるおそれがある。
【０００７】
上記従来の技術では、上記ベースプレート又はハウジングに対して傾斜させたカードを上記カードホルダ又は摺動バーによってほぼ平行になるまで倒すことによりコンタクトの弾性変形を増加させて所定の接触圧力を得た。これに対し、本発明の目的は、ＩＣカードをコネクタ本体に対してほぼ平行になるよう載置し、スライドカバーをスライドさせるとＩＣカードを徐々にコンタクトに押しつけていき、それによってコンタクトの弾性変形を増加させて所定の接触圧力を得て、ＩＣカードの載置領域からのずれや、載置領域からのはみ出しを起こりにくくし、しかもＩＣカードの移動を規制するストッパ等を薄いものにして低背化を実現することにある。さらに、補強タブによってスライドカバーを無理にスライドさせてもスライドカバーがコネクタ本体から外れにくくすることを目的としている。
【課題を解決するための手段】
【０００８】
本発明の第１のＩＣカード用ソケットコネクタは、ほぼ板状に形成され、その厚さ方向の一方側を実装側、他方を反実装側とすると、反実装側の面に、導電部を有するＩＣカードの当該導電部を有する側の面に対応した載置領域が設定されたコネクタ本体と、
上記ＩＣカードが上記コネクタ本体の上記載置領域に置かれたときに上記ＩＣカードの上記導電部にほぼ対応する部位に位置する接点を有すると共に、弾性変形により上記接点が上記厚さ方向に変位できるように上記コネクタ本体に設けられたコンタクトと、
上記厚さ方向と直交すると共に上記コネクタ本体の上記反実装側の面に沿って互いに直交する二方向を奥行き方向及び幅方向としたときに、上記コネクタ本体における上記載置領域の奥行き方向奥側から反実装側へ立ち上がり、反実装側の端部の、上記コネクタ本体の実装側の面からの上記厚さ方向の寸法が、上記コネクタ本体の実装側の面から上記コンタクトの接点までの上記厚さ方向の寸法に上記ＩＣカードの厚さを加えた載置厚さにほぼ等しい第１ストッパと、
上記コネクタ本体における上記載置領域の奥行き方向手前側から反実装側へ立ち上がり、反実装側の端部の、上記コネクタ本体の実装側の面からの上記厚さ方向の寸法が、上記載置厚さにほぼ等しい第２ストッパと、
上記コネクタ本体における上記載置領域の幅方向両側から反実装側へそれぞれ立ち上がり、反実装側の端部の、上記コネクタ本体の実装側の面からの上記厚さ方向の寸法が、上記載置厚さにほぼ等しい二つの第３ストッパと、
上記載置領域よりも奥行き方向の寸法が短く設けられて上記コネクタ本体の反実装側に配置され、上記載置領域の奥行き方向奥側の端部付近の第１位置と、上記載置領域における上記第１位置よりも奥行き方向の手前側にある第２位置との間でスライド自在に設けられると共に、上記載置領域に対向していて上記ＩＣカードに接触することになる接触部を有し、この接触部の、上記コネクタ本体の実装側の面からの上記厚さ方向の寸法が、上記第１位置では上記載置厚さにほぼ等しく、上記第１位置と第２位置との間の少なくとも一部では第２位置に向かってスライドするにつれて短くなるように構成されたスライドカバーとを備えている。
【０００９】
このＩＣカード用ソケットコネクタは、プリント配線板又はその他の実装先部材に実装される。上記スライドカバーを第１位置に位置づけておき、上記ＩＣカード用ソケットコネクタに上記ＩＣカードを挿入し、上記載置領域に位置づけると上記ＩＣカードは上記コンタクトの接点で受け止められてコネクタ本体の反実装側の面に対してほぼ平行に載置される。そして、上記スライドカバーを第２位置へスライドさせると、上記スライドカバーの接触部の、上記コネクタ本体の実装側の面からの上記厚さ方向の寸法が減少する。つまり上記スライドカバーは奥行き方向の手前へスライドするにつれて実装側に向かって移動する。そのため、上記スライドカバーは上記ＩＣカードを徐々に上記コンタクトに押しつけていき、それによって上記コンタクトの弾性変形が増加して上記ＩＣカードの導電部と上記コンタクトの接点に所定の接触圧力が得られ、上記ＩＣカードが上記ＩＣカード用ソケットコネクタに保持される。さらに、上記スライドカバーを第１位置へスライドさせると、上記スライドカバーの接触部の、上記コネクタ本体の実装側の面からの上記厚さ方向の寸法が増加する。つまり上記スライドカバーは奥行き方向の奥へスライドするにつれて反実装側に向かって移動する。そのため、上記スライドカバーは上記ＩＣカードを押圧する力を徐々に緩めていき、それによって上記コンタクトの弾性変形が減少して上記ＩＣカードの導電部と上記コンタクトの接点が受ける接触圧力が減少し、上記ＩＣカードを上記載置領域から取り上げて上記ＩＣカード用ソケットコネクタから抜去することが可能となる。
【００１０】
その場合、上記ＩＣカードは上記コネクタ本体の反実装側の面に対してほぼ平行に載置され、スライドカバーが第１位置から第２位置へスライドする間も上記コネクタ本体の反実装側の面に対してほぼ平行に維持される。そのため、上記スライドカバーを第１位置から第２位置へスライドさせた場合、上記ＩＣカードが上記スライドカバーに引き摺られようとしても、上記ＩＣカードは第１ストッパにより奥行き方向奥側へのずれが阻止され、第２ストッパにより奥行き方向手前側へのずれが阻止され、二つの第３ストッパにより幅方向へのずれが阻止されるので、上記ＩＣカードが上記載置領域からずれにくくなり、また載置領域からはみ出しにくくなる。しかも上記ＩＣカードの移動を規制する第１ストッパ、第２ストッパ及び二つの第３ストッパは、それらの反実装側の端部の、上記コネクタ本体の実装側の面からの上記厚さ方向の寸法が、上記載置厚さにほぼ等しいので、上記ＩＣカード用ソケットコネクタの低背化が実現する。
【００１１】
本発明の第２のＩＣカード用ソケットコネクタは、上記第１のＩＣカード用ソケットコネクタにおいて、
上記コネクタ本体における上記載置領域の奥行き方向奥側に、上記第１位置にある上記スライドカバーと奥行き方向に対向する補強タブが設けられている。
【００１２】
このようにすれば、上記補強タブをプリント配線板又はその他の実装先部材に実装すれば、上記スライドカバーを第１位置よりも奥行き方向奥側へ無理にスライドさせても、上記スライドカバーが上記補強タブによって受け止められるので、上記スライドカバーが上記コネクタ本体から外れにくくなる。
【００１３】
本発明の第３のＩＣカード用ソケットコネクタは、上記第１又は第２のＩＣカード用ソケットコネクタにおいて、
上記二つの第３ストッパの幅方向外側には、厚さ方向の寸法がほぼ一定で且つ奥行き方向に延びるレールがそれぞれ設けられており、
上記スライドカバーの幅方向の中間部が上記レールの反実装側に配置され、上記スライドカバーの幅方向の両端部が奥行き方向にみて開放部同士が幅方向に対向するようにほぼ横倒しされたＵ字型にそれぞれ形成されて上記二つのレールに幅方向の外側からそれぞれスライド自在に嵌っており、
上記レールは、上記第１位置にある上記スライドカバーに対応する部位と上記第２位置にある上記スライドカバーに対応する部位との間に、奥行き方向手前に向かって実装側へ傾斜する傾斜部を備えている。
【００１４】
このようにすれば、上記スライドカバーの両端部が上記二つのレールに対してスライド自在となり、それによって上記スライドカバーが第１位置と第２位置との間で奥行き方向に沿ってスライド自在となる。そして、上記スライドカバーは上記レールの厚さ方向の実装側の面に倣ってスライドする。
【００１５】
本発明の第４のＩＣカード用ソケットコネクタは、上記第１ないし第３のうちいずれか１つのＩＣカード用ソケットコネクタにおいて、
上記コネクタ本体及び上記スライドカバーにおける対向する面のうち一方の面に凹部が設けられ、他方の面に上記凹部に対応する形状の凸部が設けられ、
上記スライドカバーが上記第１位置又は第２位置に位置づけられたときに上記凸部が上記凹部に嵌って上記スライドカバーを仮止めするように構成している。
【００１６】
このようにすれば、上記スライドカバーを上記第１位置に仮止めしたときは、上記ＩＣカードのＩＣカード用ソケットコネクタへの挿入又はＩＣカード用ソケットコネクタからの抜去の作業性がよくなる。また、上記スライドカバーを上記第２位置に仮止めしたときは、上記ＩＣカードがＩＣカード用ソケットコネクタに安定的に保持される。
【発明の効果】
【００１７】
本発明の第１のＩＣカード用ソケットコネクタは、ＩＣカードをコネクタ本体の反実装側の面に対してほぼ平行になるよう載置し、スライドカバーをスライドさせるとＩＣカードを徐々にコンタクトに押しつけていき、それによってコンタクトの弾性変形を増加させて所定の接触圧力を得るので、ＩＣカードの載置領域からのずれや、載置領域からのはみ出しを起こりにくく、しかもＩＣカードの移動を規制するストッパ等を薄いものにして低背化を実現することができる。
【００１８】
本発明の第２のＩＣカード用ソケットコネクタは、上記コネクタ本体における上記載置領域の奥行き方向奥側に、上記第１位置にある上記スライドカバーと奥行き方向に対向する補強タブを設けたので、上記第１のＩＣカード用ソケットコネクタにより得られる効果が得られることに加え、さらに、上記スライドカバーを第１位置よりも奥行き方向奥側へ無理にスライドさせても、上記スライドカバーが上記コネクタ本体から外れにくくすることができる。
【００１９】
本発明の第３のＩＣカード用ソケットコネクタは、上記二つの第３ストッパの幅方向外側にレールをそれぞれ設け、上記スライドカバーをレールの実装側の面に沿ってスライドさせたので、上記第１又は第２のＩＣカード用ソケットコネクタにより得られる効果が得られることに加え、さらに、上記ＩＣカード用ソケットコネクタの低背化を生かすことができる上記スライドカバーの支持構造を提供することができた。
【００２０】
本発明の第４のＩＣカード用ソケットコネクタは、上記コネクタ本体及び上記スライドカバーにおける対向する面のうち一方の面に凹部を設け、他方の面に凸部を設け、上記スライドカバーを第１位置又は第２位置に仮止めするように構成したので、上記第１ないし第３のうちいずれか一つのＩＣカード用ソケットコネクタにより得られる効果が得られることに加え、さらに、上記ＩＣカードのＩＣカード用ソケットコネクタへの挿入又はＩＣカード用ソケットコネクタからの抜去の作業性を向上させることができ、又は上記ＩＣカードをＩＣカード用ソケットコネクタに安定的に保持させることができる。
【発明を実施するための最良の形態】
【００２１】
以下、本発明の実施の形態を説明する。図１ないし図５は、本発明のＩＣカード用ソケットコネクタの実施形態を示す。このＩＣカード用ソケットコネクタ１００は、これに挿入されたＩＣカード２００を保持することができる。また、このＩＣカード用ソケットコネクタ１００に一旦保持されたＩＣカード２００は、このＩＣカード用ソケットコネクタ１００から抜去することができる。このＩＣカード用ソケットコネクタ１００は、実装先部材３００に実装される。ここでは実装先部材３００はプリント配線板である。しかし、これによって本発明のＩＣカード用ソケットコネクタが実装される実装先部材が限定解釈されることはない。ＩＣカード２００は、情報の記録や演算を行うためのＩＣチップを備えたカードであり、最も面積の広い二面のうち一方側の面に導電部（図示省略）を有している。この実施形態では、ＩＣカード２００としてＳＩＭカード（Subscriber Identity Module Card）を用いているが、これによって本発明のＩＣカード用ソケットコネクタが対象とするＩＣカードが限定解釈されることはない。
【００２２】
上記ＩＣカード用ソケットコネクタ１００は、ほぼ板状に形成されたコネクタ本体１１０と、上記コネクタ本体１１０に設けられたコンタクト１２０とを備えている。上記コネクタ本体１１０は絶縁性材料で形成されており、上記コンタクト１２０は導電性材料で形成されている。上記コネクタ本体は少なくとも上記コンタクトとの接触部が絶縁性材料で形成されておればよい。上記コネクタ本体１１０は、その厚さ方向の一方側を実装側、他方を反実装側とすると、反実装側の面１１１に、上記ＩＣカード２００の当該導電部を有する側の面に対応した載置領域１１３が設定されている。
【００２３】
上記コンタクト１２０は、板状片よりなり、その一端が接続部１２１となり、他端が接点１２２となり、中途部が上記コネクタ本体１１０に固定されている。上記コンタクト１２０は、奥行き方向に複数個が並べられ、さらに幅方向に複数個が並べられているが、これによって本発明のＩＣカード用ソケットコネクタのコンタクトの個数、配列が限定解釈されることはない。上記接点１２２は、上記ＩＣカード２００が上記コネクタ本体１１０の上記載置領域１１３に置かれたときに上記ＩＣカード２００の上記導電部にほぼ対応する部位に位置するように設けられている。また、上記接点１２２は、コンタクト１２０の弾性変形により上記厚さ方向に変位できるようになっている。
【００２４】
上記ＩＣカード用ソケットコネクタ１００は、さらに、第１ストッパ１３０と、第２ストッパ１４０と、二つの第３ストッパ１５０とを備えている。上記厚さ方向と直交すると共に上記コネクタ本体１１０の上記反実装側の面１１１に沿って互いに直交する二方向を奥行き方向及び幅方向とする。上記第１ストッパ１３０は、上記コネクタ本体１１０における上記載置領域１１３の奥行き方向奥側から反実装側へ立ち上がっている。上記第１ストッパ１３０における反実装側の端部１３１の、上記コネクタ本体１１０の実装側の面１１２からの上記厚さ方向の寸法Ｓ1（図２を参照）は、上記コネクタ本体１１０の実装側の面１１２から上記コンタクト１２０の接点１２２までの上記厚さ方向の寸法Ｘ（図９を参照）に上記ＩＣカード２００の厚さＹ（図９を参照）を加えた載置厚さＴｓ（Ｔｓ＝Ｘ＋Ｙ）にほぼ等しい。
【００２５】
上記第２ストッパ１４０は、上記コネクタ本体１１０における上記載置領域１１３の奥行き方向手前側から反実装側へ立ち上がっている。上記第２ストッパ１４０における反実装側の端部１４１の、上記コネクタ本体１１０の実装側の面１１２からの上記厚さ方向の寸法Ｓ2（図２を参照）は、上記載置厚さＴｓにほぼ等しい。
【００２６】
上記二つの第３ストッパ１５０のうち一方の第３ストッパ１５０は、上記コネクタ本体１１０における上記載置領域１１３の幅方向の一方側から反実装側へ立ち上がり、他方の第３ストッパ１５０は、上記コネクタ本体１１０における上記載置領域１１３の幅方向の他方側から反実装側へ立ち上がっている。上記二つの第３ストッパ１５０における反実装側の端部１５１の、上記コネクタ本体１１０の実装側の面１１２からの上記厚さ方向の寸法Ｇ1、Ｇ2（図４を参照）は、上記載置厚さＴｓにほぼ等しい。
【００２７】
上記ＩＣカード用ソケットコネクタ１００は、さらに、スライドカバー１６０を備えている。このスライドカバー１６０の奥行き方向の寸法Ｃ（図１を参照）は、上記載置領域１１３の奥行き方向の寸法Ｚ（図９を参照）よりも短く設けられている。換言すると、上記スライドカバー１６０の奥行き方向の寸法Ｃは、上記ＩＣカード２００が上記載置領域１１３に上記コネクタ本体１１０の反実装側の面１１１に対してほぼ平行になるように置かれたときのＩＣカード２００の奥行き方向の寸法よりも短く設けられている。上記スライドカバー１６０は、上記コネクタ本体１１０の反実装側に配置されている。上記スライドカバー１６０は、第１位置（図１ないし図５に示す位置）と第２位置（図６及び図７に示す位置）との間でほぼ奥行き方向に沿ってスライド自在に設けられている。上記第１位置は、上記載置領域１１３の奥行き方向奥側の端部付近に設定されている。上記第２位置は、上記載置領域１１３における上記第１位置よりも奥行き方向の手前側に設定されている。そして、上記スライドカバー１６０には、上記載置領域１１３に対向している接触部１６１が設けられている。この接触部１６１は、上記ＩＣカード２００に接触することになる。すなわち、この接触部１６１は、上記ＩＣカード２００が上記載置領域１１３に上記コネクタ本体１１０の反実装側の面１１１に対してほぼ平行になるように置かれたときのＩＣカード２００の反実装側の面に接触することになる。この実施形態ではスライドカバー１６０の幅方向の中間部に、実装側へ突き出たリブが設けられているので、このリブの実装側の端面が上記接触部１６１になる。スライドカバーにこのようなリブを設けないときはスライドカバーの実装側の面の全体が接触部になる。そして、上記スライドカバー１６０の上記接触部１６１の、上記コネクタ本体１１０の実装側の面１１２からの上記厚さ方向の寸法Ｔが、上記第１位置では上記載置厚さＴｓにほぼ等しく、上記第１位置と第２位置との間の少なくとも一部では第２位置に向かってスライドするにつれて短くなるように構成されている（図５、図１６及び図１７を参照）。ここでは、上記スライドカバー１６０が第１位置にあるときから若干第２位置側へ移動するまでの奥側の区間では、上記厚さ方向の寸法Ｔは上記載置厚さＴｓにほぼ等しいＴ1である（図１６を参照）。また、上記スライドカバー１６０が第２位置にあるときから若干第１位置側へ移動するまでの手前側の区間では、上記厚さ方向の寸法Ｔは上記載置厚さＴｓよりも短いＴ2である（図１７を参照）。そして、上記奥側の区間と手前側の区間との間となる中途の区間では、上記厚さ方向の寸法Ｔは上記スライドカバー１６０が第２位置に向かってスライドするにつれて短くなる。しかし、上記厚さ方向の寸法Ｔが、上記第１位置では上記載置厚さＴｓにほぼ等しく、上記第１位置と第２位置との間の一部ではなくこの間の全体にわたり上記スライドカバーが第２位置に向かってスライドするにつれて短くなるように構成してもよい。上記接触部１６１は、上記スライドカバー１６０の幅方向の両端部１６２における接触部ではなく、上記スライドカバー１６０の幅方向の中程の部分における接触部である。この接触部１６１は���ＩＣカード２００の導体のない側の面すなわち上記載置領域１１３に上記コネクタ本体１１０の反実装側の面１１１に対してほぼ平行になるように置かれたときのＩＣカード２００の反実装側の面に対向することになる。この実施形態の場合、第２位置における上記接触部１６１の、上記コネクタ本体１１０の実装側の面１１２からの上記厚さ方向の寸法Ｔ2は、上記載置厚さＴｓよりも短い。つまり、上記スライドカバー１６０は、上記接触部１６１の上記コネクタ本体１１０における厚さ方向の位置が、上記第１位置では上記コンタクト１２０の接点１２２から上記ＩＣカード２００の厚さだけ反実装側へ移動した位置とほぼ同じになり、上記第２位置へスライドすると実装側へ移動するように構成されている。図１６に示すように、上記スライドカバー１６０が第１位置に位置づけられていると、上記スライドカバー１６０の接触部１６１はＩＣカード２００から離れている。そして、図１７に示すように、上記スライドカバー１６０を第２位置へスライドさせると、上記スライドカバー１６０が第２位置の奥行き方向奥側からＩＣカード２００に乗り上げ始め、上記スライドカバー１６０が第２位置に位置づけられると上記スライドカバー１６０がＩＣカード２００に乗り上げる。
【００２８】
上記スライドカバーの奥行き方向の寸法の設定、及び上記第１位置の設定は、上記スライドカバーが第１位置にあるときに上記ＩＣカードの端縁を上記スライドカバーの実装側に差し込んで実装側へ倒すと、上記ＩＣカードが上記第２ストッパ又は上記コンタクトの接点と干渉することなく上記載置領域に収まって上記コンタクトの接点で受け止められるように設定される。この実施形態の場合、上記コネクタ本体１１０の上記載置領域１１３において、上記第１位置にある上記スライドカバー１６０にほぼ対応する部位が厚さ方向に貫通している。これによって本発明のＩＣカード用ソケットコネクタのコネクタ本体の構成が限定解釈されることはない。しかし、こうすることにより、図８ないし図１１に示すように、上記スライドカバー１６０が第１位置にあるときに上記ＩＣカード２００の端縁を上記スライドカバー１６０の実装側に差し込む作業が容易となる。上記スライドカバーの上記接触部の、上記コネクタ本体の実装側の面からの上記厚さ方向の寸法は、上記第１位置では上記載置厚さを超えていてもよい。上記第２位置は、第２位置にある上記スライドカバー１６０がほぼコンタクト１２０の接点１２２に対向するように設けられているが、これによって本発明のＩＣカード用ソケットコネクタにおける上記スライドカバーの第２位置が限定解釈されることはない。
【００２９】
上記コネクタ本体１１０における上記載置領域１１３の奥行き方向奥側には、上記第１位置にある上記スライドカバー１６０の奥行き方向奥側にあって上記スライドカバー１６０と奥行き方向に沿って対向する補強タブ１７０が設けられている。上記補強タブ１７０は、金属片により形成されており、中途部が上記コネクタ本体１１０の奥行き方向の奥側の端部に圧入されている。そして、一端が上記第１ストッパ１３０の反実装側に突き出ており、他端が上記コネクタ本体１１０の実装側の面の付近に配置されている。ここでは上記補強タブ１７０を、幅方向に離して二つ設けている。しかし、これによって本発明のＩＣカード用ソケットコネクタの補強タブの材質、構成、個数、配列などが限定解釈されることはない。上記補強タブ１７０と上記第１位置にある上記スライドカバー１６０との間には奥行き方向に沿って隙間があるが、このように隙間を設けずに上記補強タブ１７０と上記第１位置にある上記スライドカバー１６０とが接触するようにしてもよい。
【００３０】
上記二つの第３ストッパ１５０の幅方向外側には、厚さ方向の寸法がほぼ一定で且つ奥行き方向に延びるレール１８０がそれぞれ設けられている。これら二つのレール１８０は、幅方向内側の部分で上記二つの第３ストッパ１５０の幅方向外側の部分にそれぞれ接続されている。上記スライドカバー１６０の幅方向の中間部は、上記レール１８０の反実装側に配置されている。そして、上記スライドカバー１６０の幅方向の両端部１６２は、奥行き方向にみて開放部同士が幅方向に対向するようにほぼ横倒しされたＵ字型にそれぞれ形成されて上記二つのレール１８０に幅方向の外側からそれぞれスライド自在に嵌っている。したがって、上記両端部１６２は、上記二つのレール１８０を抱き込むように形成されている。この実施形態では、上記スライドカバー１６０の幅方向の両端部１６２は、レールに対して厚さ方向に余裕を持たせて嵌まっており、そのため、上記スライドカバー１６０はレールに対して若干厚さ方向にガタがある。もっとも、このようなガタが殆ど無いように設定してもよい。そして、上記レール１８０は、上記第１位置にある上記スライドカバー１６０に対応する部位と上記第２位置にある上記スライドカバー１６０に対応する部位との間に、奥行き方向手前に向かって実装側へ傾斜する傾斜部１８２を備えている。また、上記レール１８０は、上記傾斜部１８２の奥行き方向の奥側に、上記コネクタ本体１１０の反実装側の面１１１に対してほぼ平行となる奥側の平行部１８１を備えている。さらに、上記レール１８０は、上記傾斜部１８２の奥行き方向の手前側に、上記コネクタ本体１１０の反実装側の面１１１に対してほぼ平行な手前側の平行部１８３を備えている。上記奥側の平行部１８１は上記スライドカバー１６０の上記奥側の区間に対応し、上記傾斜部１８２は上記スライドカバー１６０の上記中途の区間に対応し、上記手前側の平行部１８３は上記スライドカバー１６０の上記手前側の区間に対応している。すなわち、上記レール１８０の実装側の面１８４及び反実装側の面１８５は、上記第１位置にある上記スライドカバー１６０に対応する部位よりも上記第２位置にある上記スライドカバー１６０に対応する部位の方が実装側に位置しており、この間で上記実装側の面１８４及び反実装側の面１８５は傾斜している。このように本発明のＩＣカード用ソケットコネクタにレールを用いる場合、レールは厚さ方向の寸法がほぼ一定でなくてもよく、レールに上記スライドカバーの幅方向の両端部がスライド自在にそれぞれ嵌ることができるのであればレールの厚さ方向の寸法は奥行き方向に沿って変動してもよい。また、この実施形態では上記レール１８０の反実装側の面１８５の、上記コネクタ本体１１０の実装側の面１１２からの上記厚さ方向の寸法が、上記奥側の平行部１８１においてほぼ上記載置厚さＴｓに等しく設定されているが、本発明のＩＣカード用ソケットコネクタにレールを用いたときの上記厚さ方向の寸法は、これによって限定解釈されず、スライドカバーにおける接触部の厚さ方向の位置、スライドカバーとレールとの厚さ方向のガタの量などによって種々の変形例が出てくる。
【００３１】
上記コネクタ本体１１０及び上記スライドカバー１６０における対向する面のうち一方の面に凹部が設けられ、他方の面に上記凹部に対応する形状の凸部が設けられ、上記スライドカバー１６０が上記第１位置又は第２位置に位置づけられたときに上記凸部が上記凹部に嵌って上記スライドカバーを仮止めするように構成している。この実施形態の場合、図１６及び図１７に示すように、上記コネクタ本体１１０の二つのレール１８０における実装側の面１８４に二つの凹部１８６、１８７が設けられている。このうち第１の凹部１８６は上記載置領域１１３の奥行き方向奥側の端部付近に対応して設けられており、第２の凹部１８７は上記載置領域１１３における上記第１の凹部１８６の位置よりも奥行き方向の手前側に設けられている。また、上記スライドカバー１６０の幅方向の両端部１６２における実装側の板の内面であって上記レール１８０の実装側の面１８４と対向する部位に上記第１の凹部１８６に対応すると共に上記第２の凹部１８７にも対応する形状の凸部１６３が設けられている。そして、上記スライドカバー１６０が上記第１位置に位置づけられたときに上記凸部１６３が上記第１の凹部１８６に嵌って上記スライドカバー１６０を第１位置に仮止めし、上記スライドカバー１６０が上記第２位置に位置づけられたときに上記凸部１６３が上記第２の凹部１８７に嵌って上記スライドカバー１６０を第２位置に仮止めするように構成している。この場合、上記第１の凹部１８６の開口周縁部の、上記レール１８０の実装側の面１８４からの厚さ方向の突き出し量が、上記第２の凹部１８７の開口周縁部の、上記レール１８０の実装側の面１８４からの厚さ方向の突き出し量よりも大きく設定されている。これは次の理由による。図１７に示すように、上記スライドカバー１６０を第２位置へスライドさせると、上記スライドカバー１６０がＩＣカード２００に乗り上げるので、それによって生じた上記コンタクト１２０の弾性復元力によって上記凸部１６３の第２の凹部１８７への嵌合力が十分に確保される。それに対して、上記スライドカバー１６０が第１位置にあるときは、上記弾性復元力が期待できないため、上記第１の凹部１８６の開口周縁部によって上記スライドカバー１６０を実装側へ押しやり、上記凸部１６３の第１の凹部１８６への嵌合力を確保するようにしている。しかし、これによって本発明のＩＣカード用ソケットコネクタに上記凹部及び凸部を設けたときのスライドカバー、レール、凹部などの構成が限定解釈されることはない。上記凹部は上記コネクタ本体における上記スライドカバーと対向する他の面に設けてもよく、同様に上記凸部は上記スライドカバーにおける上記コネクタ本体と対向する他の面に設け、上記スライドカバーが上記第１位置又は第２位置に位置づけられたときに上記凸部が上記凹部に嵌って上記スライドカバーを仮止めするように構成してもよい。さらに、上記凹部は上記スライドカバーにおける上記コネクタ本体と対向する面に設けてもよく、同様に上記凸部は上記コネクタ本体における上記スライドカバーと対向する面に設け、上記スライドカバーが上記第１位置又は第２位置に位置づけられたときに上記凸部が上記凹部に嵌って上記スライドカバーを仮止めするように構成してもよい。
【００３２】
次に、上記実施形態の作用及び効果を説明する。図８及び図９に示すように、このＩＣカード用ソケットコネクタ１００は、プリント配線板又はその他の実装先部材３００に実装される。図８及び図９に示すように、上記スライドカバー１６０を第１位置に位置づけておき、上記ＩＣカード用ソケットコネクタ１００に上記ＩＣカード２００を挿入する。すなわち、図８及び図９に示すように、上記ＩＣカード２００の端縁を上記スライドカバー１６０の実装側に差し込み、図１０及び図１１に示すように、実装側へ倒していくと、図１２及び図１３に示すように、上記ＩＣカード２００が上記載置領域１１３に収まって上記コンタクト１２０の接点１２２で受け止められ、コネクタ本体１１０の反実装側の面１１１に対してほぼ平行に載置される。そして、図１４及び図１５に示すように、上記スライドカバー１６０を第２位置へスライドさせると、上記スライドカバー１６０の接触部１６１の、上記コネクタ本体１１０の実装側の面１１２からの上記厚さ方向の寸法がＴ1からＴ2へ減少する。つまり上記スライドカバー１６０は奥行き方向の手前へスライドするにつれて実装側に向かって移動する。そのため、上記スライドカバー１６０は上記ＩＣカード２００を徐々に上記コンタクト１２０に押しつけていき、それによって上記コンタクト１２０の弾性変形が増加して上記ＩＣカード２００の導電部と上記コンタクト１２０の接点１２２に所定の接触圧力が得られ、上記ＩＣカード２００が上記ＩＣカード用ソケットコネクタ１００に保持される。さらに、上記スライドカバー１６０を第１位置へスライドさせると、上記スライドカバー１６０の接触部１６１の、上記コネクタ本体１１０の実装側の面１１２からの上記厚さ方向の寸法がＴ2からＴ1へ増加する。つまり上記スライドカバー１６０は奥行き方向の奥へスライドするにつれて反実装側に向かって移動する。そのため、上記スライドカバー１６０は上記ＩＣカード２００を押圧する力を徐々に緩めていき、それによって上記コンタクト１２０の弾性変形が減少して上記ＩＣカード２００の導電部と上記コンタクト１２０の接点１２２が受ける接触圧力が減少し、上記ＩＣカード２００を上記載置領域１１３から取り上げて上記ＩＣカード用ソケットコネクタ１００から抜去することが可能となる。
【００３３】
その場合、上記ＩＣカード２００は上記コネクタ本体１１０の反実装側の面１１１に対してほぼ平行に載置され、スライドカバー１６０が第１位置から第２位置へスライドする間も上記コネクタ本体１１０の反実装側の面１１１に対してほぼ平行に維持される。そのため、上記スライドカバー１６０を第１位置から第２位置へスライドさせた場合、上記ＩＣカード２００が上記スライドカバー１６０に引き摺られようとしても、上記ＩＣカード２００は第１ストッパ１３０により奥行き方向奥側へのずれが阻止され、第２ストッパ１４０により奥行き方向手前側へのずれが阻止され、二つの第３ストッパ１５０により幅方向へのずれが阻止されるので、上記ＩＣカード２００が上記載置領域１１３からずれにくくなり、また載置領域１１３からはみ出しにくくなる。しかも上記ＩＣカード２００の移動を規制する第１ストッパ１３０、第２ストッパ１４０及び二つの第３ストッパ１５０は、それらの反実装側の端部の、上記コネクタ本体１１０の実装側の面１１２からの上記厚さ方向の寸法Ｓ1、Ｓ2、Ｇ1、Ｇ2が上記載置厚さＴｓにほぼ等しいので、上記ＩＣカード用ソケットコネクタ１００の低背化が実現する。よって、上記ＩＣカード用ソケットコネクタ１００は、ＩＣカード２００の載置領域１１３からのずれや、載置領域１１３からのはみ出しを起こりにくく、しかもＩＣカード２００の移動を規制するストッパ等を薄いものにして低背化を実現することができる。
【００３４】
本発明のＩＣカード用ソケットコネクタは、補強タブを設けていない実施形態を含む。そのような種々の実施形態のなかで、上記実施形態のＩＣカード用ソケットコネクタ１００は、上記コネクタ本体１１０における上記載置領域１１３の奥行き方向奥側に、上記第１位置にある上記スライドカバー１６０と奥行き方向に対向する補強タブ１７０を設けた。このようにすれば、上記補強タブ１７０をプリント配線板又はその他の実装先部材３００に実装すれば、上記スライドカバー１６０を第１位置よりも奥行き方向奥側へ無理にスライドさせても、上記スライドカバー１６０が上記補強タブ１７０によって受け止められるので、上記スライドカバー１６０が上記コネクタ本体１１０から外れにくくなる。
【００３５】
本発明のＩＣカード用ソケットコネクタのスライドカバーは、上記載置領域よりも奥行き方向の寸法が短く設けられて上記コネクタ本体の反実装側に配置され、上記載置領域の奥行き方向奥側の端部付近の第１位置と、上記載置領域における上記第１位置よりも奥行き方向の手前側にある第２位置との間でスライド自在に設けられると共に、上記載置領域に対向していて上記ＩＣカードに接触することになる接触部を有し、この接触部の、上記コネクタ本体の実装側の面からの上記厚さ方向の寸法が、上記第１位置では上記載置厚さにほぼ等しく、上記第１位置と第２位置との間の少なくとも一部で第２位置に向かってスライドするにつれて短くなるように構成されておればよい。そのような種々の実施形態のなかで、上記実施形態のＩＣカード用ソケットコネクタ１００は、上記二つの第３ストッパ１５０の幅方向外側に厚さ方向の寸法がほぼ一定で且つ奥行き方向に延びるレール１８０をそれぞれ設け、上記スライドカバー１６０の幅方向の中間部を上記レール１８０の反実装側に配置し、上記スライドカバー１６０の幅方向の両端部１６２を奥行き方向にみて開放部同士が幅方向に対向するようにほぼ横倒しされたＵ字型にそれぞれ形成して上記二つのレール１８０に幅方向の外側からそれぞれスライド自在に嵌め、上記レール１８０に、上記第１位置にある上記スライドカバー１６０に対応する部位と上記第２位置にある上記スライドカバー１６０に対応する部位との間に、奥行き方向手前に向かって実装側へ傾斜する傾斜部１８２を設けた。このようにすれば、上記スライドカバー１６０の両端部１６２が上記二つのレール１８０に対してスライド自在となり、それによって上記スライドカバー１６０が第１位置と第２位置との間で奥行き方向に沿ってスライド自在となる。そして、上記スライドカバー１６０は上記レール１８０の厚さ方向の実装側の面１８４に倣ってスライドする。よって、この上記スライドカバー１６０の支持構造は、上記ＩＣカード用ソケットコネクタ１００の低背化を生かすことができる。
【００３６】
本発明のＩＣカード用ソケットコネクタは、上記スライドカバーを上記第１位置又は第２位置に仮止めするための構成を備えていない実施形態を含む。そのような種々の実施形態のなかで、上記実施形態のＩＣカード用ソケットコネクタ１００は、上記コネクタ本体１１０及び上記スライドカバー１６０における対向する面のうち一方の面に凹部１８６、１８７を設け、他方の面に上記凹部１８６、１８７に対応する形状の凸部１６３を設け、上記スライドカバー１６０が上記第１位置又は第２位置に位置づけられたときに上記凸部１６３が上記凹部１８６、１８７に嵌って上記スライドカバー１６０を仮止めするように構成した。このようにすれば、上記スライドカバー１６０を上記第１位置に仮止めしたときは、上記ＩＣカード２００のＩＣカード用ソケットコネクタ１００への挿入又はＩＣカード用ソケットコネクタ１００からの抜去の作業性がよくなる。また、上記スライドカバー１６０を上記第２位置に仮止めしたときは、上記ＩＣカード２００がＩＣカード用ソケットコネクタ１００に安定的に保持される。よって、上記ＩＣカード用ソケットコネクタ１００は、上記ＩＣカード２００のＩＣカード用ソケットコネクタ１００への挿入又はＩＣカード用ソケットコネクタ１００からの抜去の作業性を向上させることができ、又は上記ＩＣカード２００をＩＣカード用ソケットコネクタ１００に安定的に保持させることができる。
【００３７】
本発明は、以上の実施形態の特徴を組み合わせたＩＣカード用ソケットコネクタの実施形態を含んでいる。さらに、以上の実施形態は本発明のＩＣカード用ソケットコネクタのいくつかの例を示したに過ぎない。したがって、これらの実施形態の記載によって本発明のＩＣカード用ソケットコネクタが限定解釈されるものではない。
【図面の簡単な説明】
【００３８】
【図１】スライドカバーが第１位置にあるときの本発明のＩＣカード用ソケットコネクタの実施形態の平面図である。
【図２】スライドカバーが第１位置にあるときの上記実施形態の側面図である。
【図３】スライドカバーが第１位置にあるときの上記実施形態の底面図である。
【図４】スライドカバーが第１位置にあるときの上記実施形態の正面図である。
【図５】スライドカバーが第１位置にあるときの上記実施形態の背面図である。
【図６】スライドカバーが第２位置にあるときの上記実施形態の平面図である。
【図７】スライドカバーが第２位置にあるときの上記実施形態の側面図である。
【図８】スライドカバーを第１位置に位置づけ、ＩＣカードの端縁をスライドカバーの実装側に差し込んだときの当該ＩＣカードと本発明のＩＣカード用ソケットコネクタの実施形態の平面図である。
【図９】図８のＩＸ−ＩＸ線における断面図である。
【図１０】図８の状態からＩＣカードを実装側へ倒したときの当該ＩＣカードと本発明のＩＣカード用ソケットコネクタの実施形態の平面図である。
【図１１】図１０のＸＩ−ＸＩ線における断面図である。
【図１２】図１０の状態からＩＣカードをさらに実装側へ倒して接点で受け止め、コネクタ本体の載置領域に載置したときの当該ＩＣカードと本発明のＩＣカード用ソケットコネクタの実施形態の平面図である。
【図１３】図１２のＸＩＩＩ−ＸＩＩＩ線における断面図である。
【図１４】図１２の状態からスライドカバーを第２位置へ移動したときの上記ＩＣカードと本発明のＩＣカード用ソケットコネクタの実施形態の平面図である。
【図１５】図１４のＸＶ−ＸＶ線における断面図である。
【図１６】図１２のＸＶＩ−ＸＶＩ線における拡大断面図である。
【図１７】図１４のＸＶＩＩ−ＸＶＩＩ線における拡大断面図である。
【符号の説明】
【００３９】
１００  ＩＣカード用ソケットコネクタ
１１０  コネクタ本体
１１１  反実装側の面
１１２  実装側の面
１１３  載置領域
１２０  コンタクト
１２２  接点
１３０  第１ストッパ
１３１  反実装側の端部
１４０  第２ストッパ
１４１  反実装側の端部
１５０  第３ストッパ
１５１  反実装側の端部
１６０  スライドカバー
１６１  接触部
１６２  端部
１６３  凸部
１７０  補強タブ
１８０  レール
１８２  傾斜部
１８４  実装側の面
１８６  凹部
１８７  凹部
２００  ＩＣカード
【図１】
2010140144.tif 000003
【図２】
2010140144.tif 000004
【図３】
2010140144.tif 000005
【図４】
2010140144.tif 000006
【図５】
2010140144.tif 000007
【図６】
2010140144.tif 000008
【図７】
2010140144.tif 000009
【図８】
2010140144.tif 000010
【図９】
2010140144.tif 000011
【図１０】
2010140144.tif 000012
【図１１】
2010140144.tif 000013
【図１２】
2010140144.tif 000014
【図１３】
2010140144.tif 000015
【図１４】
2010140144.tif 000016
【図１５】
2010140144.tif 000017
【図１６】
2010140144.tif 000018
【図１７】
2010140144.tif 000019